(57)【特許請求の範囲】
【請求項１】
情報処理装置によってデータ通信が行なわれる際に、前記情報処理装置とともに使用される携帯電話端末装置であって、
データ通信に関する着信があったことに応じて受信環境が整っているか否かを確認する受信環境確認手段と、
前記受信環境確認手段によって受信環境が整っていないことが確認された場合に、受信環境整備依頼を行う環境整備依頼手段と、
前記環境整備依頼手段による受信環境整備依頼に応じて受信環境が整備されたか否かを、情報処理装置が正常に接続されたか否かを確認することで確認する環境整備完了確認手段と、
前記受信環境確認手段によって受信環境が整っていないことが確認された場合であっても前記データ通信に関する着信を受け付け、前記環境整備完了確認手段によって受信環境が整備されたことが確認された場合に、当該データ通信に関する着信に応じることを促す報知のための制御を行う受信依頼制御手段とを含む
携帯電話端末装置。
【請求項２】
環境整備依頼手段は、報知音を出力することによって受信環境整備依頼を行う
請求項１記載の携帯電話端末装置。
【請求項３】
環境整備依頼手段は、報知表示を表示することによって受信環境整備依頼を行う
請求項１または請求項２記載の携帯電話端末装置。
【請求項４】
携帯電話端末装置を利用して情報処理装置によってデータを受信しようとする場合に、前記携帯電話端末装置によって実行されるデータ受信準備方法であって、
データ通信に関する着信があったことに応じて受信環境が整っているか否かを確認するステップと、
受信環境が整っていない場合に、受信環境整備依頼を行うステップと、
情報処理装置と携帯電話端末装置とが接続されたか否かを確認することで受信環境が整備されたか否かを確認するステップと、
データ通信に関する着信があったときに受信環境が整っていないことが確認された場合であっても当該データ通信に関する着信を受け付けるステップと、
前記情報処理装置と前記携帯電話端末装置が正常に接続されたことが確認された場合に、データ通信に関する着信のあったデータの受信を促す報知のための制御を行うステップとを含む
データ受信準備方法。
【発明の詳細な説明】
【０００１】
【発明の属する技術分野】
本発明は、例えばノート型のパーソナルコンピュータなどの情報処理装置によってデータ通信が行なわれる際に、情報処理装置に接続されて用いられる例えばＰＨＳ（Ｐｅｒｓｏｎａｌ  Ｈａｎｄｙｐｈｏｎｅ  Ｓｙｓｔｅｍ）端末装置などの携帯電話端末装置に関し、特に、受信環境が整っていない状態で着信があった場合であってもデータ受信を行い得る携帯電話端末装置、およびこの携帯電話端末装置を利用したデータ受信準備方法に関する。
【０００２】
【従来の技術】
近年、ＰＨＳなどの携帯電話システムの端末装置を利用して、例えばノート型のパーソナルコンピュータを用いた無線によるデータ通信が広く行われるようになってきている。携帯電話端末装置を利用したデータ通信は、携帯電話端末装置の他、パーソナルコンピュータやＰＣカード（ＰＣＭＣＩＡ／ＪＥＩＤＡによって標準化された仕様に準拠するクレジットカードサイズの周辺機器）と呼ばれる機器を用いて行われる。ＰＣカードには、例えば、パーソナルコンピュータとの間でデータ交換を行うインタフェース、携帯電話端末装置との間でデータ交換を行うインタフェース、データの変調／復調を行うモデムなどの機能が搭載されている。
【０００３】
パーソナルコンピュータで携帯電話端末装置を用いてデータ通信を行う場合には、データ通信が実行できる状態（例えばノート型のパーソナルコンピュータのＰＣカードスロットに装着されたＰＣカードに通信ケーブルの一端を接続し、その通信ケーブルの他端に携帯電話端末装置を接続した状態。あるいは、ＰＣカードの機能を有する携帯電話端末を、パーソナルコンピュータのＰＣカードスロットに装着した状態。）として、文書や画像などの各種のデータを送受する。なお、携帯電話端末による音声通信は、携帯電話端末を例えばパーソナルコンピュータ側から取り外した状態で行なわれる。
【０００４】
【発明が解決しようとする課題】
携帯電話端末装置がパーソナルコンピュータに接続されていない通常の状態では、音声通信を実行するための待ち受け状態となっている。従って、何らかのデータが送信されてきた場合であっても、データ受信の環境が整っていないことから、内部的に着信が拒否されてしまう。このため、データの受信依頼があったときに、受信環境が整っていない場合には、相手側が送信しようとしているデータを受信することができないという問題があった。
【０００５】
また、データ受信の環境が整っていない場合には、内部的に着信が拒否されてしまうことから、ユーザはデータの受信依頼があったことすら把握することができない。従って、受信依頼に応じてデータを取得することができないだけでなく、再度の受信依頼に備えて受信環境を整備するなどの対応をとることもできないという問題があった。
【０００６】
本発明は上述した問題を解消し、受信環境が整っていない状態であっても、受信依頼のあったデータを受信することができるようにすることを目的とする。
【０００７】
【課題を解決するための手段】
上記の問題を解決するために、本発明の携帯電話端末装置は、情報処理装置（例えば、ノート型のパーソナルコンピュータ）によってデータ通信が行なわれる際に、情報処理装置とともに使用される携帯電話端末装置であって、データ通信に関する着信があったことに応じて受信環境が整っているか否かを確認する受信環境確認手段（例えば、操作系制御部１４ａ）と、受信環境確認手段によって受信環境が整っていないことが確認された場合に、受信環境整備依頼を行う環境整備依頼手段（例えば、ハード系制御部１４ｃ）と、環境整備依頼手段による受信環境整備依頼に応じて受信環境が整備されたか否かを、情報処理装置が正常に接続されたか否かを確認することで確認する環境整備完了確認手段（例えば、操作系制御部１４ａ）と、受信環境確認手段によって受信環境が整っていないことが確認された場合であってもデータ通信に関する着信を受け付け、環境整備完了確認手段によって受信環境が整備されたことが確認された場合に、当該データ通信に関する着信に応じることを促す報知のための制御を行う受信依頼制御手段（例えば、操作系制御部１４ａにおけるステップＳ４０１を実行する部分と、無線系制御部１４ｂにおけるＳ４０２を実行する部分と、操作系制御部１４ａ（報知を情報処理装置で行う場合）、またはハード系制御部１４ｃ（報知を携帯電話端末で行う場合）とを含む手段）とを含むものである。
【０００８】
上記のように構成したことで、データの受信依頼があったときに受信側の受信環境が整っていない場合であっても、環境整備依頼手段の報知によってデータの受信依頼があることを知ったユーザが受信環境を整備することによって、情報処理装置でデータを受信することができる状態とすることができるようになる。さらに、受信依頼制御手段の制御にもとづく報知に従って、ユーザが情報処理装置を操作することによって、受信依頼されたデータを受信することができるようになる。従って、データ受信の機会を逃してしまうことを回避することができる。また、上記のように構成したことで、受信することができない状態であるときにデータの受信依頼があった場合であっても、ユーザが、例えばＰＣカードの装着などを行って情報処理装置と携帯電話端末とを正常に接続することによって、情報処理装置でデータを受信することができる状態とすることができるようになる。
【００１１】
環境整備依頼手段は、例えば、報知音を出力することや報知表示を表示することによって受信環境整備依頼を行うように構成される。
【００１２】
上記のように構成したことで、データの受信依頼があったときに受信側の受信環境が整っていない場合であっても、音や表示によってデータの受信依頼があることをユーザに報知することができる。
【００１５】
また、本発明のデータ受信準備方法は、携帯電話端末装置を利用して情報処理装置によってデータを受信しようとする場合に、携帯電話端末装置によって実行されるデータ受信準備方法であって、データ通信に関する着信があったことに応じて受信環境が整っているか否かを確認するステップと、受信環境が整っていない場合に、受信環境整備依頼を行うステップと、情報処理装置と携帯電話端末装置とが接続されたか否かを確認することで受信環境が整備されたか否かを確認するステップと、データ通信に関する着信があったときに受信環境が整っていないことが確認された場合であっても当該データ通信に関する着信を受け付けるステップと、情報処理装置と携帯電話端末装置が正常に接続されたことが確認された場合に、データ通信に関する着信のあったデータの受信を促す報知のための制御を行うステップとを含むものである。
【００１６】
上記のように構成したことで、受信環境が整っていない場合であっても、データの受信依頼があることをユーザに報知することができ、報知されたユーザが受信環境を整備することによって、情報処理装置でデータを受信することができる状態とすることができるようになる。さらに、データの受信を促す報知に従って、ユーザが情報処理装置を操作することによって、受信依頼されたデータを受信することができるようになる。従って、データ受信の機会を逃してしまうことを回避することができる。また、上記の構成としたことで、受信することができない状態であるときにデータの受信依頼があった場合であっても、ユーザが、例えばＰＣカードの装着などを行って情報処理装置と携帯電話端末とを正常に接続することによって、情報処理装置でデータを受信することができる状態とすることができるようになる。
【００１９】
【発明の実施の形態】
以下、本発明の一実施の形態について図１〜図５を参照して説明する。
図１は、本例のＰＨＳ端末装置１０の構成を示すものである。ＰＨＳ端末装置１０は、例えば、基地局などを介して例えば他の携帯電話端末などの通信装置と接続され、ＰＨＳシステムを利用して通話やデータ（例えば、文字や画像などのデータ）通信などが行われる無線通信端末装置である。
【００２０】
ＰＨＳ端末装置１０は、例えば図１に示すように、アンテナ部１１と、送受信部１２と、ベースバンド処理部１３と、ＣＰＵ１４と、レシーバ１５と、マイクロフォン１６と、表示部１７と、入力部１８と、データ通信インタフェース１９と、バイブレータ２０と、サウンダ２１と、ドライバ部２２と、情報記憶部２３とを含む。
【００２１】
アンテナ部１１は、無線信号の送受信を行う。送受信部１２では、信号増幅や周波数変換などが行われる。ベースバンド処理部１３では、信号の変復調が行われる。ＣＰＵ１４は、本例では、操作系制御部１４ａと、無線系制御部１４ｂと、ハード系制御部１４ｃとを含み、装置１０全体の各種制御を行う制御装置である。操作系制御部１４ａは、ユーザとのインタフェース部分であり、入力部１８からの信号を処理したり、データ通信インタフェース１９を介してやりとりされる信号の制御を実行する。無線系制御部１４ｂは、アンテナ１１を介して実行される無線通信に関する制御を実行する。ハード系制御部１４ｃは、端末装置１０に設けられている表示部１７などの各種ハードウェアの制御を実行する。なお、各制御部１４ａ〜１４ｃでは、各部１４ａ〜１４ｃの機能にもとづく制御がそれぞれ実行され得るように、互いに各種信号の送受が行われる。
【００２２】
表示部１７は、例えばＬＣＤ（液晶表示装置）などにより構成され、電話番号や時刻などの各種情報が表示される。入力部１８は、例えば番号ボタンやオフフックボタンなどにより構成され、各種情報の入力が行われる。データ通信インタフェース１９は、情報処理装置（例えば、パーソナルコンピュータ）などの外部装置との間でデータの送受を行うために、その外部装置との接続に用いられるインタフェースである。
【００２３】
バイブレータ２０は、使用者に対する着呼報知を振動により行う振動モータである。サウンダ２１は、例えばスピーカなどで構成され、着信音などを出力する。バイブレータ２０およびサウンダ２１は、ドライバ部２２からの制御信号に応じて振動や音声出力などの処理を実行する。情報記憶部２３には、例えばＲＡＭやＲＯＭなどによって構成され、例えば端末ＩＤやアドレス帳などの各種のデータが記憶される。
【００２４】
図２は、本例のＰＨＳ端末装置１０を含むＰＨＳ通信システム３０の構成の例を示すブロック図である。ＰＨＳ通信システム３０は、ＰＨＳ端末装置１０と、情報処理装置の一例である例えばノート型のパーソナルコンピュータ３１と、相手側のＰＨＳ端末装置３２と、相手側の情報処理装置の一例である例えばノート型のパーソナルコンピュータ３３と、基地局３４，３５と、交換機３６とを含む。なお、ＰＨＳ端末装置３２は、例えば上述したＰＨＳ端末装置１０と同様に構成される。
【００２５】
図２に示すように、ＰＨＳ端末装置１０は、例えば通信ケーブルおよびＰＣカード（パーソナルコンピュータ３１に装着されている）を介してパーソナルコンピュータ３１に接続されている。すなわち、通信ケーブルを介してＰＨＳ端末装置１０に接続されているＰＣカードが、パーソナルコンピュータ３１のＰＣカードスロットに挿入されて装着されている。なお、ＰＨＳ端末装置にＰＣカードを直接接続（通信ケーブルを用いることなく接続）するものであってもよく、また、ＰＣカードの機能を有するＰＨＳ端末装置を直接接続（単体のＰＣカードおよび通信ケーブルを用いることなく接続）するものであっても、ＰＣカードの機能を内蔵するパーソナルコンピュータにＰＨＳ端末装置を接続するものであってもよい。なお、ＰＨＳ端末装置３２は、同様に、パーソナルコンピュータ３３に接続されている。
【００２６】
基地局３４，３５は、例えばＰＨＳ端末装置１０，３２などの加入者端末との間で無線信号を用いた情報の送受を行う機能を有する。また、基地局３４，３５は、発呼したＰＨＳ端末装置１０，３２と交換機３６とを通信チャネルを指定して接続する機能や、他の基地局からの着信通知に応じて着信先の携帯電話端末装置を呼び出し、通信チャネルを指定して交換機３６と着信先の携帯電話端末とを無線接続する機能などの各種機能を有する。基地局３４，３５とＰＨＳ端末装置１０，３２との間における無線信号を用いた情報の送受は、例えばＴＤＭＡ（時分割多元接続）方式により実現される。
【００２７】
交換機３６には、基地局３４，３５などの複数の基地局が接続される。また、交換機３６には、例えば図示しないＩＳＤＮ回線やＰＳＴＮ回線などの回線網が接続されている。交換機３６は、基地局３４を介して発呼したＰＨＳ端末装置４０との間で呼設定の手順を実行して、通信相手の例えばＰＨＳ端末装置１０と発信側のＰＨＳ端末装置４０との接続を行う機能などの各種機能を有している。また、交換機３６は、発呼した端末４０が加入者端末であるかどうかを端末ＩＤにより確認する機能を有する。
【００２８】
次に、上述したＰＨＳ通信システム３０において、ＰＨＳ端末装置３２が接続されているパーソナルコンピュータ３３の操作によって基地局３５などを介して送信されたデータを、パーソナルコンピュータ３１に接続されているＰＨＳ端末装置１０によって受信する場合の処理について説明する。図３は、本例のＰＨＳ端末装置１０におけるデータ受信処理および処理タイミングを示すタイミング図である。
【００２９】
データ受信処理において、先ず、相手側のパーソナルコンピュータ３３の所定の操作によって、送信するデータが選択され、送信先であるＰＨＳ端末装置１０の番号を指定して発呼すると、ＰＨＳ端末装置３２を介して、ＰＨＳ端末装置１０の番号や自己の端末ＩＤなどの発呼に関わるデータが基地局３５に向けて送信される。すると、発呼に関わるデータが交換機３６に転送され、ＰＨＳ端末装置３２が加入者端末であるか否かの確認などが行われる。そして、発呼に関わるデータは、ＰＨＳ端末装置１０付近に設置されている基地局３４に送信される。
【００３０】
発呼に関わるデータを受信すると、基地局３４は、ＰＨＳ端末装置１０に対して、データ通信を行うための着信要求があることを通知するために、無線通信回線を通じて着信要求信号を送信する（ステップＳ３０１）。また、基地局３４は、ＰＨＳ端末装置１０に対して、空きチャネルの中からデータ通信を行うために選択した通信チャネルの設定要求を行うためのチャネル設定要求信号を送信する（ステップＳ３０２）。
【００３１】
着信要求信号を受信すると、ＰＨＳ端末装置１０の無線系制御部１４ｂは、データ通信を行うための着信要求があることを示す着信要求受信信号を操作系制御部１４ａに向けて出力する（ステップＳ３０３）。着信要求受信信号が入力すると、データ通信インタフェース１９の接続状態（受信環境）を確認する。そして、操作系制御部１４ａによって、データ通信インタフェース１９に、通信ケーブルおよびＰＣカードを介してパーソナルコンピュータ３１が正常に接続されていれば（受信環境が整っていれば）、操作系制御部１４ａは、着信を受け付けるとともに、着信を受け付けたことを通知するための着信受付信号を無線系制御部１４ｂに向けて出力する（ステップＳ３０４）。なお、操作系制御部１４ａは、データ通信インタフェース１９やＰＣカードを介して、パーソナルコンピュータ３１に対しても着信受付信号を送信する。
【００３２】
着信受付信号を受信した無線系制御部１４ｂは、受信した着信受付信号を、送受信部１２やアンテナ１１などを介して無線通信回線を通じて基地局３４（網側）に向けて送信する（ステップＳ３０５）。また、着信受付信号を受けると、パーソナルコンピュータ３１では、例えば、自己が備えるスピーカから着信音を出力するなどの制御が開始され、ユーザに対する着信報知が開始されたことを示す着信報知開始信号を、ＰＨＳ端末装置１０側に出力する。
【００３３】
例えばデータ通信インタフェース１９を介してパーソナルコンピュータ３１側から送信された着信報知開始信号を受信すると、操作系制御部１４ａは、呼出中であることを通知するための呼出中信号を無線系制御部１４ｂに向けて出力する（ステップＳ３０６）。呼出中信号を受信した無線系制御部１４ｂは、受信した呼出中信号を、送受信部１２やアンテナ１１などを介して無線通信回線を通じて基地局３４に向けて送信する（ステップＳ３０７）。次いで、無線系制御部１４ｂは、呼出の表示を要求するための呼出表示要求信号を操作系制御部１４ａに向けて出力する（ステップＳ３０８）。
【００３４】
呼出表示要求信号を受信すると、操作系制御部１４ａは、データ通信インタフェース１９やＰＣカードを介して、パーソナルコンピュータ３１に対して呼出表示要求信号を出力する。ＰＣカードを介して呼出表示要求信号を受けると、パーソナルコンピュータ３１では、例えば、自己が備えるディスプレイ装置の表示画面上に、呼出中であることユーザに報知するための画面表示（例えば、「着信中！！」などの表示）がなされ、ユーザに対する視覚的な着信報知が行われる。
【００３５】
なお、着信受付信号や、呼出表示要求信号は、ハード系制御部１４ｃに向けて送信される構成としてもよい。この場合、ハード系制御部１４ｃは、着信受付信号が入力すると、ドライバ部２２に指令信号を与えて、バイブレータ２０を振動させ、あるいはサウンダ２１から着信音を出力させるなどの制御を実行して、ユーザに対して着信報知を行う。また、ハード系制御部１４ｃは、呼出表示要求信号が入力すると、表示部１７の表示画面上に、呼出中であることユーザに報知するための画面表示がなされ、ユーザに対する視覚的な着信報知が行われる。
【００３６】
着信音や着信表示によって着信中であることを認識したユーザによって、パーソナルコンピュータ３１が操作され、着信に応答するための操作がされると、着信報知に関する制御を終了するとともに、着信に応答したことを示す着信応答信号が、パーソナルコンピュータ３１側からデータ通信インタフェース１９を介して操作系制御部１４ａに送信される。すると、操作系制御部１４ａは、受信した着信応答信号を、無線系制御部１４ｂに向けて出力する（ステップＳ３０９）。また、無線系制御部１４ｂは、受信した着信応答信号を、送受信部１２やアンテナ１１などを介して無線通信回線を通じて基地局３４（網側）に向けて送信する（ステップＳ３１０）。
【００３７】
着信応答信号を受信すると、基地局３４（網側）は、応答を確認した旨を通知するための応答確認信号をＰＨＳ端末装置１０に向けて送信する（ステップＳ３１１）。応答確認信号を受信すると、ＰＨＳ端末装置１０の無線系制御部１４ｂは、着信の確認（送信されてきたデータの受信）が実行可能となったことを通知するための着信確認信号を、操作系制御部１４ａに出力する（ステップＳ３１２）。そして、ステップＳ３０２での要求に応じてＰＨＳ端末装置１０で設定された通信チャネルを用いて、ＰＨＳ端末装置１０と基地局３４とでデータ通信が開始され、パーソナルコンピュータ３１とパーソナルコンピュータ３３とのデータ通信が開始される。
【００３８】
また、着信確認信号を受信すると、操作系制御部１４ａは、データ通信インタフェース１９やＰＣカードを介して、パーソナルコンピュータ３１に対して着信確認信号を送信する。着信確認信号を受信すると、パーソナルコンピュータ３１では、例えば、自己が備えるディスプレイ装置の表示画面上に、通信中であることをユーザに報知するための画面表示（例えば、「データ取得中！！」などの表示）がなされ、ユーザに対する視覚的な通信状態の報知が行われる。なお、ＰＨＳ端末装置１０の表示部１７に通信中であることをユーザに報知するための画面表示を行うようにしてもよい。
【００３９】
そして、パーソナルコンピュータ３３の操作によって選択されたデータが、ＰＨＳ端末装置３２やＰＨＳ端末装置１０などを介して、パーソナルコンピュータ１０に入力される。図示はしないが、データの送受信を終えると、ＰＨＳ端末装置３２から開放要求が送出され、この開放要求を受けた交換機３６は、ＰＨＳ端末装置３２とＰＨＳ端末装置１０との通信を切断する。通信が切断されると、本例のＰＨＳ端末装置１０におけるデータ受信処理を終了する。
【００４０】
次に、上述したＰＨＳ通信システム３０において、ＰＨＳ端末装置３２が接続されているパーソナルコンピュータ３３の操作によって基地局３５などを介して送信されたデータを、パーソナルコンピュータ３１に接続されていないＰＨＳ端末装置１０によって受信した場合におけるデータ受信処理について説明する。図４は、本例のＰＨＳ端末装置１０におけるデータ受信処理および処理タイミングを示すタイミング図である。なお、図４に示す処理において、上述した図３に示した処理と同様の処理をなす部分については、同一の符号を付与してその詳細な説明を省略する。
【００４１】
図４に示すデータ受信処理において、上述したステップＳ３０１〜ステップＳ３０３の処理が実行される。着信要求受信信号が入力すると、操作系制御部１４ａは、データ通信インタフェース１９からの信号入力状態を確認して、データ通信インタフェース１９の接続状態（受信環境）を確認する。この例では、例えば図５（Ａ）に示すように、受信環境が整っていない状態（ＰＨＳ端末装置１０とパーソナルコンピュータ３１が接続されていない状態）とされているため、操作系制御部１４ａによって、データ通信インタフェース１９に通信ケーブルやＰＣカードを用いてパーソナルコンピュータ３１が正常に接続されていない（受信環境が整っていない）ことが確認される。
【００４２】
受信環境が整っていないことが確認された場合であっても、本例では、操作系制御部１４ａは、着信を受け付けるとともに、着信を受け付けたことを通知するための着信受付信号を無線系制御部１４ｂに向けて出力する（ステップＳ４０１）。着信受付信号を受信した無線系制御部１４ｂは、受信した着信受付信号を、送受信部１２やアンテナ１１などを介して無線通信回線を通じて基地局３４（網側）に向けて送信する（ステップＳ４０２）。
【００４３】
また、操作系制御部１４ａは、着信を受け付けると、着信受付信号をハード系制御部１４ｃに向けて送信する。着信受付信号を受信したハード系制御部１４ｃは、ドライバ部２２に指令信号を与えて、バイブレータ２０を振動させ、あるいはサウンダ２１から着信音を出力させるなどの制御を実行して、ユーザに対して着信報知を行う。着信報知が開始されると、操作系制御部１４ａは、呼出中であることを通知するための呼出中信号を無線系制御部１４ｂに向けて出力する（ステップＳ４０３）。
【００４４】
呼出中信号を受信した無線系制御部１４ｂは、受信した呼出中信号を、送受信部１２やアンテナ１１などを介して無線通信回線を通じて基地局３４に向けて送信する（ステップＳ４０４）。次いで、無線系制御部１４ｂは、呼出の表示を要求するための呼出表示要求信号を操作系制御部１４ａに向けて出力する（ステップＳ４０５）。
【００４５】
呼出表示要求信号を受信すると、操作系制御部１４ａは、ハード系制御部１４ｃに向けて呼出表示要求信号を送信する。呼出表示要求信号を受けると、ハード系制御部１４ｃは、呼出表示要求信号が入力すると、表示部１７の表示画面上に、呼出中であることユーザに報知するための画面表示（例えば、「着信中！！」などの表示）がなされ、ユーザに対する視覚的な着信報知が行われる。
【００４６】
着信音や着信表示によってデータの着信依頼があることを認識したユーザは、本例では、通信ケーブルおよびＰＣカードを用いて、ＰＨＳ端末装置１０がパーソナルコンピュータ３１に接続する。すなわち、ユーザによって受信環境が整備される。すなわち、この実施の形態では、図５（Ａ）に示すＰＨＳ端末装置１０がパーソナルコンピュータ３１に接続されていない状態から、ユーザによって、例えば通信ケーブルが接続されるとともにＰＣカードがパーソナルコンピュータ３１に装着される。すると、図５（Ｂ）に示すように、ＰＨＳ端末装置１０がパーソナルコンピュータ３１に接続された状態とされる。
【００４７】
受信環境が整備されると、操作系制御部１４ａは、受信環境が整備されたことを認識して、パーソナルコンピュータ３１のディスプレイ装置に着信の応答を促すための表示を行うように制御を行う。なお、受信環境が整備されたことに応じて、ハード系制御部１４ｃが表示部１７に着信の応答を促すための表示を行うように制御を行うようにしてもよい。また、パーソナルコンピュータ３１の有するスピーカや、ＰＨＳ端末装置１０のサウンダ２１から、着信の応答を促すための音を出力するようにしてもよい。
【００４８】
着信の応答を促す表示によって着信の準備が完了したことがユーザに認識され、ユーザによってパーソナルコンピュータ３１が操作されて、着信に応答するための指示がされると、着信報知に関する制御を終了するとともに、着信に応答したことを示す着信応答信号が、パーソナルコンピュータ３１側からデータ通信インタフェース１９を介して操作系制御部１４ａに送信される。すると、操作系制御部１４ａは、受信した着信応答信号を、無線系制御部１４ｂに向けて出力する（ステップＳ４０６）。そして、上述したステップＳ３１０以降の処理が実行され、パーソナルコンピュータ３１とパーソナルコンピュータ３３とのデータ通信が開始される。
【００４９】
そして、パーソナルコンピュータ３３の操作によって選択されたデータが、ＰＨＳ端末装置３２やＰＨＳ端末装置１０などを介して、パーソナルコンピュータ１０に入力される。図示はしないが、データの送受信を終えると、ＰＨＳ端末装置３２から開放要求が送出され、この開放要求を受けた交換機３６は、ＰＨＳ端末装置３２とＰＨＳ端末装置１０との通信を切断する。通信が切断されると、本例のＰＨＳ端末装置１０におけるデータ受信処理を終了する。
【００５０】
以上説明したように受信環境が整っていない場合には音や表示によってユーザにデータ通信に関する着信があることを報知する構成としたことで、ユーザが受信環境が整っていない場合であってもデータの着信があったことを認識することができる。従って、データの受信依頼に対する対応をとることができるようになる。例えば、送信側がデータの送信を一旦断念した場合であっても、データの受信依頼があったことを知ったユーザが受信環境を整備しておくことで、送信側からの再度の受信依頼に応じてデータを受信することができるようになる。
【００５１】
また、上述したように受信環境が整っていない場合であっても着信を受け付けておいて、ユーザが受信環境を整備して着信に応答するまで待機する構成としたことで、データの受信依頼があることを知ったユーザが例えばＰＣカードの装着などを行って受信環境を整えるようにすれば、そのデータの受信依頼に応じてデータを受信することができるようになる。従って、受信環境が整っていない場合であっても、ユーザが迅速（に対応送信側が断念するまでの間に対応）することで、データ受信の機会を逃してしまうことを回避することができる。
【００５２】
なお、上述した一実施の形態ではＰＨＳ端末装置１０とパーソナルコンピュータ３１とがＰＣカードなどを介して接続されている場合に受信環境が整っているものとして説明したが、受信環境には、例えばパーソナルコンピュータ３１に電源が投入されているか否かなどのデータ受信を実行するための様々な環境が含まれる。
【００５３】
また、上述した一実施の形態では特に説明しなかったが、受信環境が整っていない場合にデータの受信依頼があったことを例えばＰＨＳ端末装置１０の情報記憶部２３に記憶しておくようにしてもよい。この場合、情報記憶部２３には、例えば送信元の電話番号や、データ受信の依頼があった時間などの情報が記憶される。このように構成すれば、ユーザがＰＨＳ端末装置１０の近くにいないときにデータの受信依頼があった場合であっても、その後に対応をとることができるようになる。例えば、データの受信依頼があったことをあとになって知ったユーザが、受信環境を整備しておくことで、送信側からの再度の受信依頼に応じてデータを受信することができるようになる。
【００５４】
また、上述した一実施の形態では、情報処理装置の一例としてノート型のパーソナルコンピュータを用いていたが、情報処理装置として、例えばＰＤＡ（Ｐｅｒｓｏｎａｌ  Ｄｉｇｉｔａｌ  Ａｓｓｉｓｔａｎｔｓ）と呼ばれる携帯型情報機器などの他の装置であってもよい。
【００５５】
さらに、上述した一実施の形態では、携帯通信端末としてＰＨＳ端末装置２０を例にしたが、ＰＨＳ端末装置以外の携帯電話端末装置や携帯通信端末装置などに本発明を適用することができることは勿論である。
【００５６】
【発明の効果】
以上のように、本発明の携帯電話端末装置によれば、データ通信に関する着信があったことに応じて受信環境が整っているか否かを確認する受信環境確認手段と、受信環境確認手段によって受信環境が整っていないことが確認された場合に、受信環境整備依頼を行う環境整備依頼手段と、環境整備依頼手段による受信環境整備依頼に応じて受信環境が整備されたか否かを、情報処理装置が正常に接続されたか否かを確認することで確認する環境整備完了確認手段と、受信環境確認手段によって受信環境が整っていないことが確認された場合であってもデータ通信に関する着信を受け付け、環境整備完了確認手段によって受信環境が整備されたことが確認された場合に、当該データ通信に関する着信に応じることを促す報知のための制御を行う受信依頼制御手段とを含むものであるので、データ通信に関する着信があったときに受信側の受信環境が整っていない場合であっても、ユーザにデータの受信依頼があることを報知することができ、環境整備依頼手段の報知によってデータの受信依頼があることを知ったユーザが受信環境を整備することによって、情報処理装置でデータを受信することができる状態とすることができるようになる。さらに、受信依頼制御手段の制御にもとづく報知に従って、ユーザが情報処理装置を操作することによって、受信依頼されたデータを受信することができるようになる。従って、データ受信の機会を逃してしまうことを回避することができる。また、受信することができない状態であるときにデータの受信依頼があった場合であっても、ユーザが情報処理装置と携帯電話端末とを正常に接続することによって、情報処理装置でデータを受信することができる状態とすることができるようになる。
【００５８】
また、環境整備依頼手段は、報知音を出力することや報知表示を表示することによって受信環境整備依頼を行うとした場合には、データの受信依頼があったときに受信側の受信環境が整っていない場合であっても、音や表示によってデータの受信依頼があることをユーザに報知することができる。
【００６０】
また、本発明のデータ受信準備方法によれば、データ通信に関する着信があったことに応じて受信環境が整っているか否かを確認するステップと、受信環境が整っていない場合に、受信環境整備依頼を行うステップと、情報処理装置と携帯電話端末装置とが接続されたか否かを確認することで受信環境が整備されたか否かを確認するステップと、データ通信に関する着信があったときに受信環境が整っていないことが確認された場合であっても当該データ通信に関する着信を受け付けるステップと、情報処理装置と携帯電話端末装置が正常に接続されたことが確認された場合に、データ通信に関する着信のあったデータの受信を促す報知のための制御を行うステップとを含むものであるので、受信環境が整っていない場合であっても、データの受信依頼があることをユーザに報知することができ、報知されたユーザが受信環境を整備することによって、情報処理装置でデータを受信することができる状態とすることができるようになる。さらに、データの受信を促す報知に従って、ユーザが情報処理装置を操作することによって、受信依頼されたデータを受信することができるようになる。従って、データ受信の機会を逃してしまうことを回避することができる。また、受信することができない状態であるときにデータの受信依頼があった場合であっても、ユーザが情報処理装置と携帯電話端末とを正常に接続することによって、情報処理装置でデータを受信することができる状態とすることができるようになる。
【図面の簡単な説明】
【図１】  本発明の一実施の形態におけるＰＨＳ端末装置の構成の例を示すブロック図である。
【図２】  本発明の一実施の形態におけるＰＨＳ端末装置を含むＰＨＳ通信システムの構成の例を示すブロック図である。
【図３】  本発明の一実施の形態における受信環境が整っている場合のＰＨＳ端末装置のデータ受信処理および処理タイミングの例を示すタイミング図である。
【図４】  本発明の一実施の形態における受信環境が整っていない場合のＰＨＳ端末装置のデータ受信処理および処理タイミングの例を示すタイミング図である。
【図５】  （Ａ）は受信環境が整っていない場合の例を示す説明図である。（Ｂ）は受信環境が整備された場合の例を示す説明図である。
【符号の説明】
１０，３２  ＰＨＳ端末装置
１１    アンテナ部
１２    送受信部
１３    ベースバンド処理部
１４    ＣＰＵ
１４ａ  操作系制御部
１４ｂ  無線系制御部
１４ｃ  ハード系制御部
１５    レシーバ
１６    マイクロフォン
１７    表示部
１８    入力部
１９    データ通信インタフェース部
２０    バイブレータ
２１    サウンダ
２２    ドライバ部
２３    情報記憶部
３０    ＰＨＳ通信システム
３１，３３  パーソナルコンピュータ
３４，３５  基地局
３６    交換機
【図１】
0003704466.tif 000002
【図２】
0003704466.tif 000003
【図３】
0003704466.tif 000004
【図４】
0003704466.tif 000005
【図５】
0003704466.tif 000006